(57)【特許請求の範囲】
【請求項１】
吐出管と送液手段とを接続する主弁と、前記吐出管の先端に開口する空気流路管と、前記空気流路管及び主弁の下流側の陰圧発生手段とに連通するダイヤフラム室と、該ダイヤフラム室を封止して付勢手段の力に抗して変位するダイヤフラムと、前記主弁を開弁状態に保持し、該ダイヤフラムの変位により前記主弁を閉弁させる機構とを備えた給液ノズルにおいて、前記ダイヤフラムが、外部から視認可能な流体を封止した２枚構成とされ、また前記ダイヤフラムの表面側を封止するキャップが、前記流体の流出を外部から視認できる材料により構成されている給液ノズル。
【請求項２】
吐出管と送液手段とを接続する主弁と、前記吐出管の先端に開口する空気流路管と、前記空気流路管及び主弁の下流側の陰圧発生手段とに連通するダイヤフラム室と、該ダイヤフラム室を封止して付勢手段の力に抗して変位するダイヤフラムと、前記主弁を開弁状態に保持し、該ダイヤフラムの変位により前記主弁を閉弁させる機構とを備えた給液ノズルにおいて、前記ダイヤフラムが、前記付勢手段に抗する方向に、給液対象となる液を吸収して膨潤する材料からなる押圧部材を介装して取付けられている給液ノズル。
【請求項３】
前記ダイヤフラムが耐油性材料からなる膜により構成され、また前記押圧部材が炭化水素系液により膨潤する材料により構成されている請求項２に記載の給液ノズル。
【発明の詳細な説明】
【０００１】
【発明の属する技術分野】
本発明は、被給液容器の液量が一定量に到達した時点で、給液動作を自動的に停止させる機能を備えた給液ノズルに関する。
【０００２】
【従来の技術】
例えば、給油所等で燃料油の供給に使用される給液ノズルは、吐出管と送液手段とを接続する主弁と、ノズル本体に接続されている吐出管の先端に開口する空気流路管と、被給液容器の液の上昇によって空気流路管の開口が閉塞されると、主弁を閉弁させる閉弁機構とを収容して構成されている。
閉弁機構は、吸気流路管と、吐出管からの圧力を受けるダイヤフラム室を備え、ダイヤフラムに作用する圧力変動を利用して、主弁を開弁状態に維持するクラッチを解除するように構成されている。
ダイヤフラムは、その周囲をノズル本体の凹部に固定され、また中央部にはクラッチ等を作動させるための剛性の高いセンタープレートが固定されているため、ダイヤフラムの変位によりそれぞれの固定領域の近傍に応力が集中して疲労が生じ、送液ノズルの落下等のよる強い外力が作用すると、ダイヤフラムが破損し、閉弁機構が動作せず、過剰給液を招くという問題がある。
【０００３】
【発明が解決しようとする課題】
このような問題を解消するため、特開平2-172549号公報に見られるように、閉弁機構を２組の閉弁機構を給液ノズルに設けることが提案されているが、構造が複雑化するとともに、コスト上昇を招くという問題がある。
本発明はこのような問題に鑑みてなされたものであって、その第１の目的とするところは、閉弁機構の破損状況を外部から容易に検出することができる給液ノズルを提供することである。
また本発明の第２の目的は、比較的簡単な構造で、ダイヤフラムの破損に関わりなく過給液を防止することができる給液ノズルを提供することである。
【０００４】
【課題を解決するための手段】
第１の課題を達成するため、本発明においては、吐出管と送液手段とを接続する主弁と、前記吐出管の先端に開口する空気流路管と、前記空気流路管及び主弁の下流側の陰圧発生手段とに連通するダイヤフラム室と、該ダイヤフラム室を封止して付勢手段の力に抗して変位するダイヤフラムと、前記主弁を開弁状態に保持し、該ダイヤフラムの変位により前記主弁を閉弁させる機構とを備えた給液ノズルにおいて、前記ダイヤフラムが、外部から視認可能な流体を封止した２枚構成とされ、また前記ダイヤフラムの表面側を封止するキャップが、前記流体の流出を外部から視認できる材料により構成されている。
【０００５】
第２の課題を達成するため、本発明においては、吐出管と送液手段とを接続する主弁と、前記吐出管の先端に開口する空気流路管と、前記空気流路管及び主弁の下流側の陰圧発生手段とに連通するダイヤフラム室と、該ダイヤフラム室を封止して付勢手段の力に抗して変位するダイヤフラムと、前記主弁を開弁状態に保持し、該ダイヤフラムの変位により前記主弁を閉弁させる機構とを備えた給液ノズルにおいて、前記ダイヤフラムが、給液対象となる液を吸収して膨潤する材料からなる押圧部材を、膨潤時に前記付勢手段に抗する方向に膨張するように取付けられている。
【０００６】
【作用】
第１の発明によれば、２枚構成のいずれか一方のダイヤフラムが破損すると、ダイヤフラムに封止されていた流体が外部に流出するため、容易に破損を検出できる。
また、第２の発明によれば、ダイヤフラムが給液中に破損すると、ダイヤフラム室に流れ込んだ液により押圧部材が膨潤して主弁を強制的に閉弁させる。
【０００７】
【発明の実施の態様】
そこで以下に本発明の詳細を図示した実施例に基づいて説明する。
図１は、本発明の給液ノズルの一実施例を示すものであって、先端に吐出管１が、他端に送液装置にホースを介して接続される給液口２を備えたノズル本体３は、常時バネ４により閉弁状態を維持する主弁５と、ダイヤフラム室６に張設されてバネ７により一方向に付勢さえたダイヤフラム８が設けられ、さらに主弁５の下流側には吐出管１に接続する流路９が形成されここに流動する流体により負圧を発生するチャッキ弁１０が配置されている。
【０００８】
また、ダイヤフラム８には作動杆１１の一端が接続されていて、これの他端に作動杆１２を介して主弁５を開弁させるレバー１７が回動可能に設けられている。
【０００９】
一方、吐出管１の先端には液により封止される開口１４が形成されていて、空気流路管１３、及びノズル本体３に形成された流路１５を介してダイヤフラム室６に連通されている。このダイヤフラム室６は、ノズル本体３に形成された流路１８によりチャッキ弁１０の負圧発生領域にも接続されている。なお、図中符号１６は、レバー１７を引き上げた状態を維持する係止部材を示す。
【００１０】
このような構成により、レバー１７を引き上げて、係止部材１６に係止させると、バネ７により下方に付勢された作動杆１１の他端を回動してとしてレバー１７が回動するから、作動杆１２が押し上げられて主弁５が開弁する。給液口２から供給された液は、主弁５を通過してチャッキ弁１０を通過して吐出管１から流れ出る。この状態ではチャッキ弁１０で負圧が発生するものの、開口１４が大気に連通してるため、ダイヤフラム８は、バネ７により一方の側、図１では下方に降下した状態を維持する。
【００１１】
被給液容器が満タンになり吐出管１の開口が液で封止されると、ダイヤフラム室６がチャッキ弁１０の負圧を受け、ダイヤフラム８がバネ７に抗して変位する（図１では上方に移動）。これによりレバー１７が作動杆１１に引っ張られて係止部材１６から外れ、主弁５がバネ４により閉弁位置に移動して給液動作が停止する。
【００１２】
図２（イ）は、上述した給液ノズルのダイヤフラム室を拡大して示す図であって、ダイヤフラム８は、第１のダイヤフラム板８ａと、第２のダイヤフラム板８ｂとを、これらダイヤフラム板８ａ、８ｂで封止された空間８ｃに、外部から容易に視認でき、かつダイヤフラム板８ａ、８ｂを変質させない流体を封止して構成されている。これらダイヤフラム板８ａ、８ｂは、耐油性を備えた材料、例えばニトリルブチルゴムの板で構成すると、ガソリン等の炭化水素系の液体にも対応することができる。
【００１３】
ダイヤフラム８は、その外周をノズル本体３に形成された凹部３ａに裏面を接しさせられ、表面側をダイヤフラム８に封止された液体を視認できる材料、例えば高分子材料からなるキャップ２０により固定されてダイヤフラム室６を形成している。ダイヤフラム８の裏面とノズル本体３との間には、給液対象となる液により膨潤する材料、例えば炭化水素系の液に対してはエチレンプロピレンゴム、またはクロロプレンゴムを環状に形成した押圧部材２１が介装されている。
【００１４】
この押圧部材２１の厚みは、膨潤時にダイヤフラム８をバネ４に抗して作動杆１２を、主弁５を閉弁させる位置まで引き上げることができる程度に選択されている。なお、図中符号２２は、作動杆１２等を固定するセンタープレートを示す。
【００１５】
このような構成により、２枚構成のいずれか一方のダイヤフラム８が破損すると、ダイヤフラム８に封止されていた流体が外部に流出するため、キャップ２０を介して外部から視認することができる。
【００１６】
一方、給液中にダイヤフラム８が破損すると、チャッキ弁１０の負圧により吐出管１の開口からダイヤフラム室６に液が流れ込むが、この液はダイヤフラム８の破損箇所から押圧部材２１に流れ込む。これにより押圧部材２１が図２（ロ）に示すように膨潤してダイヤフラム８をバネ４に抗して押し上げる。したがって、前述したように作動杆１１が引き上げられてレバー１７の係止が外れるから、主弁５がバネ４により閉弁して開口１４を超える過剰な給液が阻止される。
【００１７】
なお、上述の実子例においては、押圧部材２１をダイヤフラム８に当接させているが、図３に示したようにセンタプレート２２に対向する位置に押圧部材２３を介装しても、やはりセンタープレート２２が膨潤した押圧部材２３により変位させられるから、同様に作用することは明らかである。
【００１８】
【発明の効果】
以上説明したように本発明によれば、２枚構成のいずれか一方のダイヤフラムが破損すると、ダイヤフラムに封止されていた流体が外部に流出するため、容易に破損を検出できる。また、ダイヤフラムが給液中に破損しても、ダイヤフラム室に流れ込んだ液により押圧部材の膨潤により主弁を強制的に閉弁させて過剰給液を防止できる。
【図面の簡単な説明】
【図１】本発明の給液ノズルの一実施例を示す断面図である。
【図２】図（イ）、（ロ）は、それぞれ同上給液ノズルのダイヤフラム室近傍を拡大して、押圧部材の膨潤前後の状態を示す断面図である。
【図３】本発明の他の実施例をダイヤフラム室近傍を拡大して、押圧部材が膨潤した状態を示す断面図である。
【符号の説明】
１  吐出管
２  給液口
３  ノズル本体
４  バネ
５  主弁
６  ダイヤフラム室
７  バネ
８  ダイヤフラム
８ａ、８ｂ  ダイヤフラム板
８ｃ  空間
１０  チャッキ弁
１３  空気流路管
１６   係止部材
２０  キャップ
２１、２３  押圧部材
２２  センタプレート
【図１】
0003702949.tif 000002
【図２】
0003702949.tif 000003
【図３】
0003702949.tif 000004